(57)【要約】      （修正有）【課題】コンクリートスラブを軽量化且つ平坦化することができるコンクリートスラブ施工方法、筋材支持具、結束ピン具及び軽量化用埋設体を提供する。【解決手段】コンクリートスラブの施工時に使用される筋材支持具１００は、筋材の一種である下端筋を支持可能な土台部材１１０と、該土台部材１１０に取着されるとともに筋材の一種である上端筋を支持可能な上端筋支持部材１２０とを備え、上端筋支持部材１２２に、土台部材１１０上に支持された下端筋の浮き上がりを防止するための下端筋押さえ軸部１２３が突出状に設けられる一方、土台部材１１０には、該土台部材１１０を型板にネジ止めするための支持具固定用雄ネジ部材１３０、及び天井吊具を型板除去後のコンクリートにネジ止めするための天井吊具固定用雄ネジ部材の両雄ネジ部材を兼用して螺合可能な雌ネジ部１１１ａが穿設されている。【選択図】図１
2005282008.tif 000002
【特許請求の範囲】
【請求項１】
型板上に複数の筋材を配筋して立体格子状の骨組みを構成する骨組構成工程と、該骨組構成工程の後に前記型板上にコンクリートを打設するコンクリート打設工程とを備えたコンクリートスラブ施工方法において、
前記骨組構成工程は、筋材を支持する筋材支持具を該筋材支持具に穿設された雌ネジ部に支持具固定用雄ネジ部材を螺合することによって型板にネジ止めする支持具固定段階と、該支持具固定段階の後に筋材支持具に対して筋材を固定するとともに、該筋材支持具に固定された筋材に対して別の筋材を固定する筋材固定段階とを有し、
該筋材固定段階においては、筋材支持具に対して筋材の一種である上端筋を固定するとともに該筋材の一種である下端筋も固定するとともに、骨組みの主部の完成後に該骨組み格子枠内に軽量材からなる軽量化用埋設体を配置して、該軽量化用埋設体の上方に筋材の一種である上補助筋を配筋し且つ上端筋に固定することを特徴とするコンクリートスラブ施工方法。
【請求項２】
筋材固定段階においては、上端筋を筋材支持具に固定するに当たり、弾性力を有する結束ピン具によって結束することを特徴とする請求項１に記載のコンクリートスラブ施工方法。
【請求項３】
筋材固定段階においては、下端筋を筋材支持具に固定するに当たり、該筋材支持具に設けられた凹部内に載置するとともに、凹部内に載置された筋材支持具の上方への浮上がりを該筋材支持具に設けられた浮上防止軸により規制することを特徴とする請求項１又は２に記載のコンクリートスラブ施工方法。
【請求項４】
筋材固定段階においては、交差する上端筋相互、又は上端筋及び上補助筋の両筋材を結束するに当たり、弾性力を有する結束ピン具によって両筋材を結束することを特徴とする請求項１から３の何れかに記載のコンクリートスラブ施工方法。
【請求項５】
型板上に複数の筋材を配筋して立体格子状の骨組みを構成する骨組構成工程と、該骨組構成工程の後に前記型板上にコンクリートを打設するコンクリート打設工程とを備えたコンクリートスラブ施工方法において、
前記骨組構成工程は、筋材を支持する筋材支持具を該筋材支持具に穿設された雌ネジ部に支持具固定用雄ネジ部材を螺合することによって型板にネジ止めする支持具固定段階と、該支持具固定段階の後に筋材支持具に対して筋材を固定するとともに、筋材支持具に載置された筋材に対して別の筋材を固定する筋材固定段階とを有し、
前記コンクリート打設工程の後に支持具固定用雄ネジ部材を筋材支持具の雌ネジ部より取り外して型板を除去する型板除去工程と、
該型板除去工程の後に筋材支持具の雌ネジ部を兼用して天井吊具固定用雄ネジ部材を螺合する天井吊具固定工程とを備えていることを特徴とするコンクリートスラブ施工方法。
【請求項６】
コンクリート打設工程の後に支持具固定用雄ネジ部材を筋材支持具の雌ネジ部より取り外して型板を除去する型板除去工程と、
該型板除去工程の後に筋材支持具の雌ネジ部を兼用して天井吊具固定用雄ネジ部材を螺合する天井吊具固定工程とを備えていることを特徴とする請求項１から４の何れかに記載のコンクリートスラブ施工方法。
【請求項７】
コンクリートスラブの施工時に、型板上に複数の筋材を配筋して立体格子状の骨組みを構成するために使用される筋材支持具において、
前記筋材の一種である下端筋を支持可能な土台部材と、
該土台部材に一体的に形成され又は前記土台部材に取着されるとともに前記筋材の一種である上端筋を支持可能な上端筋支持部材とを備え、
前記上端筋支持部材には、前記土台部材上に支持された下端筋の浮き上がりを防止するための下端筋押さえ軸部が突出状に設けられていることを特徴とする筋材支持具。
【請求項８】
コンクリートスラブの施工時に、型板上に複数の筋材を配筋して立体格子状の骨組みを構成するために使用される筋材支持具において、
前記筋材の一種である下端筋を支持可能な土台部材と、
該土台部材に一体的に形成され又は前記土台部材に取着されるとともに前記筋材の一種である上端筋を支持可能な上端筋支持部材とを備え、
前記土台部材には、該土台部材を前記型板にネジ止めするための支持具固定用雄ネジ部材、及び天井吊具を型板除去後のコンクリートにネジ止めするための天井吊具固定用雄ネジ部材の両雄ネジ部材を兼用して螺合可能な雌ネジ部が穿設されていることを特徴とする筋材支持具。
【請求項９】
土台部材は、十文字状、アスタリスク字状、星形状その他の放射形状に形成されていることを特徴とする請求項８に記載の筋材支持具。
【請求項１０】
上端筋支持部材には、土台部材上に支持された下端筋の浮き上がりを防止するための下端筋押さえ軸部が突出状に設けられていることを特徴とする請求項８又は９に記載の筋材支持具。
【請求項１１】
上端筋支持部材には、土台部材より延設する主軸部と、該主軸部の上方に設けられて上端筋が接触する上端筋接触軸部とが設けられており、
該上端筋接触軸部は、異形筋材によって構成されていることを特徴とする請求項７から１０の何れかに記載の筋材支持具。
【請求項１２】
コンクリートスラブの施工時に、型板上に複数の筋材を配筋して立体格子状の骨組みを構成するために使用される結束ピン具において、
一本の金属線材が折り曲げ加工されることによって成形されるものであって、交差する筋材相互、又は交差する筋材及び筋材支持具の筋材接触軸部の両部材を弾性力により付勢して密着させることを特徴とする結束ピン具。
【請求項１３】
交差する筋材の一方、又は筋材若しくは筋材支持具の何れか一方の部材に掛止する第１掛止部と、
該第１掛止部の両端に連設されるとともに他方の部材に掛止する第２掛止部と、
該第２掛止部の夫々に連設されるとともに前記一方の部材に掛止する二つの第３掛止部とを備えており、
前記第１掛止部、第２掛止部及び第３掛止部は、弾性力により交差する前記一方の部材と他方の部材とを付勢して密着させることを特徴とする請求項１２に記載の結束ピン具。
【請求項１４】
第３掛止部は、交差する筋材相互、又は交差する筋材及び筋材支持具の両部材の接触部の揺動により不用意に外れてしまうことを防止するために、筋材を両側から挟み込むことを特徴とする請求項１２又は１３に記載の結束ピン具。
【請求項１５】
コンクリートスラブの施工時に、型板上に複数の筋材を配筋して立体格子状の骨組みを構成するために使用される結束ピン具において、
一本の金属線材が折り曲げ加工されることによって成形されるものであって、前記筋材を支持する筋材支持具と該筋材支持具の上に配設された交差する前記筋材とを結束するに当たり、前記筋材支持具と上方の筋材とを挟込むことを特徴とする結束ピン具。
【請求項１６】
コンクリートスラブの施工時に、型板上に複数の筋材を配筋して立体格子状の骨組みを構成するために使用される軽量材からなる軽量化用埋設体において、
直方体形状のポリスチレン製の本体部材と、
該本体部材の少なくとも下側表面に埋設されるとともに、前記筋材の一種である下補助筋と嵌合するポリスチレン製の嵌合爪部材とを備えていることを特徴とする軽量化用埋設体。
【請求項１７】
本体部材の上側表面に形成されるとともに、上補助筋と係止する突起部材とを備えていることを特徴とする請求項１６記載の軽量化用埋設体。
【請求項１８】
本体部材は、内部を中空とするため及び持運び便利とするために、略コ字状に構成された第１本体部材と第２本体部材とを組み合わせることによって構成されていることを特徴とする請求項１６又は１７に記載の軽量化用埋設体。
【発明の詳細な説明】
【技術分野】
【０００１】
本発明は、コンクリートスラブ施工方法、並びに、該コンクリートスラブ施工時において使用される筋材支持具、結束ピン具及び軽量化用埋設体に関する。
【背景技術】
【０００２】
コンクリートスラブ施工方法としては、種々の発明及び考案が案出されている（特許文献１参照）。
【０００３】
例えば、特許文献１に記載の従来技術のコンクリートスラブ施工方法においては、型板上（型枠内）に下端主筋及び下補助筋を縦横に配筋し、該下端主筋の上側に上端主筋を所定高さをおいて縦横に配筋し、上端主筋及び下端主筋とで区切られた空間内に軽量材からなる軽量化用埋設体（埋込体、通称「ボイド」と呼ばれる。）を配置し、隣り合う上端主筋同士の中間であって下補助筋を直交する方向に上補助筋を配筋し、上補助筋及び下補助筋によって軽量化用埋設体を上下から支持し、全体にコンクリートを打設して軽量のコンクリートスラブを形成するようにされている。これにより、主筋の配筋工事を分けることなく一度に完了させて簡略化し、軽量化用埋設体を定位置に確実に固定して均一な軽量構造を有するコンクリートスラブを短期で形成することができるのである。
【特許文献１】特開２００２−２６６４５７号公報
【発明の開示】
【発明が解決しようとする課題】
【０００４】
ここで、特許文献１に記載の発明においては、軽量材（代表例としては、発泡スチロール材）からなる軽量化用埋設体を配置した後、コンクリートを打設するようにされている。これにより、コンクリートスラブを軽量化することができるのであるが、比重の違いからコンクリート打設時に軽量化用埋設体に働く浮き上がり力によって、又、コンクリートを打設する際の振動等によって（例えば、送給パイプの振動や、骨組み上を人が移動したりすることによって）、針金が断線したり、軽量化用埋設体の位置が横ずれしてしまうことが多々あった。そして、この状態のままコンクリートを打設すると、その凝固後において、針金断線部近傍のコンクリートスラブが盛り上がってしまったり、軽量化用埋設体の位置のずれた部分で凹凸が発生してしまうという不具合があった。即ち、コンクリートスラブの表面が平坦とならない（コンクリートスラブの厚みが設計値からずれてしまう）という不具合があった。
【０００５】
このため、コンクリートスラブの表面を平坦にする必要があるが、平坦にするためには、コンクリート打設時に、逐一断線箇所を補強したり、軽量化用埋設体の位置がずれた箇所を補修したりしなければならず、作業が煩雑となるとともに、多くの人員が必要となるという不具合があった。
【０００６】
一方、コンクリートスラブの施工後においては、そのコンクリートスラブの下方に天井を施工するが、天井施工方式の一方式には、吊り天井方式がある。吊り天井方式の天井施工方法について、具体的に説明すると、まず、コンクリートスラブ施工時に、コンクリートの打設前に、型板上に、天井吊用インサート金物（「アンカー」とも呼ばれる）を取付固定しておく。そして、打設したコンクリートの凝固後に型板を取り除き、かかる天井吊用インサート金物に天井吊ボルト（天井吊具固定用雄ねじ部材）を螺合する。最後に、天井吊ボルトにハンガー（野縁受金具）を介して天井材を固定すれば、天井施工方法がおおよそ終了する。
【０００７】
以上のように、コンクリートスラブを施工するに当たっては、天井の施工も視野に入れる必要がある。このため、コンクリートを打設する前に、天井施工用インサート金物を取付固定しなければならず、作業が煩雑となるという不具合があった。
【０００８】
そこで、案出されたのが本発明であって、コンクリートスラブを軽量化且つ平坦化することができるコンクリートスラブ施工方法、筋材支持具、結束ピン具及び軽量化用埋設体、並びに、コンクリートスラブを施工する作業を行うだけで天井を施工するための作業も同時に行うことができるコンクリートスラブ施工方法及び筋材支持具を提供することを目的としている。
【課題を解決するための手段】
【０００９】
（コンクリートスラブ施工方法）
請求項１及び請求項１を引用する請求項に係るコンクリートスラブ施工方法は、型板上に複数の筋材を配筋して立体格子状の骨組みを構成する骨組構成工程と、該骨組構成工程の後に前記型板上にコンクリートを打設するコンクリート打設工程とを備えており、前記骨組構成工程は、筋材を支持する筋材支持具を該筋材支持具に穿設された雌ネジ部に支持具固定用雄ネジ部材を螺合することによって型板にネジ止めする支持具固定段階と、該支持具固定段階の後に筋材支持具に対して筋材を固定するとともに、筋材支持具に載置された筋材に対して別の筋材を固定する筋材固定段階とを有し、前記筋材固定段階においては、筋材支持具に対して筋材の一種である上端筋を固定するとともに該筋材の一種である下端筋も固定し、前記筋材固定段階においては、骨組みの主部の完成後に該骨組み格子枠内に軽量材からなる軽量化用埋設体を配置するとともに、該軽量化用埋設体の上方に筋材の一種である上補助筋を配筋し且つ上端筋に固定することを特徴としている。
【００１０】
請求項５及び請求項５を引用する請求項に係るコンクリートスラブ施工方法は、型板上に複数の筋材を配筋して立体格子状の骨組みを構成する骨組構成工程と、該骨組構成工程の後に前記型板上にコンクリートを打設するコンクリート打設工程とを備えており、前記骨組構成工程は、筋材を支持する筋材支持具を該筋材支持具に穿設された雌ネジ部に支持具固定用雄ネジ部材を螺合することによって型板にネジ止めする支持具固定段階と、該支持具固定段階の後に筋材支持具に対して筋材を固定するとともに、筋材支持具に載置された筋材に対して別の筋材を固定する筋材固定段階とを有し、前記コンクリート打設工程の後に支持具固定用雄ネジ部材を筋材支持具の雌ネジ部より取り外して型板を除去する型板除去工程と、該型板除去工程の後に筋材支持具の雌ネジ部を兼用して天井吊具固定用雄ネジ部材を螺合する天井吊具固定工程とを備えていることを特徴としている。
（筋材支持具）
請求項７及び請求項７を引用する請求項に係る筋材支持具は、コンクリートスラブの施工時に、型板上に複数の筋材を配筋して立体格子状の骨組みを構成するために使用されるものであって、前記筋材の一種である下端筋を支持可能な土台部材と、該土台部材に一体的に形成され又は前記土台部材に取着されるとともに前記筋材の一種である上端筋を支持可能な上端筋支持部材とを備え、前記上端筋支持部材には、前記土台部材上に支持された下端筋の浮き上がりを防止するための下端筋押さえ軸部が突出状に設けられていることを特徴としている。
【００１１】
請求項８及び請求項８を引用する請求項に係る筋材支持具は、コンクリートスラブの施工時に、型板上に複数の筋材を配筋して立体格子状の骨組みを構成するために使用されるものであって、前記筋材の一種である下端筋を支持可能な土台部材と、該土台部材に一体的に形成され又は前記土台部材に取着されるとともに前記筋材の一種である上端筋を支持可能な上端筋支持部材とを備え、前記土台部材には、該土台部材を前記型板にネジ止めするための支持具固定用雄ネジ部材、及び天井吊具を型板除去後のコンクリートにネジ止めするための天井吊具固定用雄ネジ部材の両雄ネジ部材を兼用して螺合可能な雌ネジ部が穿設されていることを特徴としている。
（結束ピン具）
請求項１２及び請求項１２を引用する請求項に係る結束ピン具は、コンクリートスラブの施工時に、型板上に複数の筋材を配筋して立体格子状の骨組みを構成するために使用されるものであって、一本の金属線材が折り曲げ加工されることによって成形されるものであって、交差する筋材相互、又は交差する筋材及び筋材支持具の筋材接触軸部の両部材を弾性力により付勢して密着させることを特徴としている。
【００１２】
請求項１５に係る結束ピン具は、コンクリートスラブの施工時に、型板上に複数の筋材を配筋して立体格子状の骨組みを構成するために使用されるものであって、一本の金属線材が折り曲げ加工されることによって成形されるものであり、前記筋材を支持する筋材支持具と該筋材支持具の上に配設された交差する前記筋材とを結束するに当たり、前記筋材支持具と上方の筋材とを挟込むことを特徴としている。
（軽量化用埋設体）
請求項１６及び請求項１６を引用する請求項に係る軽量化用埋設体は、コンクリートスラブの施工時に、型板上に複数の筋材を配筋して立体格子状の骨組みを構成するために使用される軽量材からなるものであって、直方体形状（角が丸いものも含む）のポリスチレン製の本体部材と、該本体部材の上側表面及び下側表面に埋設されるポリエチレン製の二つの突起部材とを備えており、該突起部材には、二つの突起部材間に嵌入された筋材の抜け防止用の爪部が形成されている（少なくとも二つの突起部材の何れか一方、好ましくは両突起部材の対向する向きに形成される。）ことを特徴としている。
【発明の効果】
【００１３】
（コンクリートスラブ施工方法）
請求項１及び請求項１を引用する請求項に係るコンクリートスラブ施工方法によれば、筋材固定段階によって、上端筋及び下端筋の両筋材が筋材支持具に固定されるとともに、軽量化用埋設体の上方に配筋される上補助筋が上端筋に固定されるので、コンクリート打設工程におけるコンクリートの打設時にも、軽量化用埋設体の位置がズレてしまうことを防止することができる。ひいては、コンクリートスラブ表面を平坦とすることができる。
【００１４】
請求項５及び請求項５を引用する請求項に係るコンクリートスラブ施工方法によれば、骨組み構成のために筋材支持具の雌ネジ部に螺合されていた支持具固定用雄ネジ部材を取り外して型板を除去した後、雌ネジ部材を兼用して天井吊具固定用雄ネジ部材を螺合するので、コンクリートスラブを施工する作業を行うだけで天井施工のための作業も同時に行うことができる。すなわち、コンクリートスラブの施工時に天井施工のための天井吊用インサート金物（「アンカー」とも呼ばれる）を別途、適宜箇所に配置し固定する作業を省略することができる。
（筋材支持具）
請求項７及び請求項７を引用する請求項に係る筋材支持具によれば、上端筋支持部材に突出状に設けられた下端筋押さえ軸部によって、土台部材上に支持された下端筋の浮き上がりが防止されるので、コンクリートの打設時においても、軽量化用埋設体の位置がずれてしまうことを防止することができる。ひいては、コンクリートスラブを軽量化することができるとともに、その表面を平坦化することもできる。
【００１５】
請求項８及び請求項８を引用する請求項に係る筋材支持具によれば、土台部材に穿設された雌ネジ部材により、土台部材を型板にネジ止めするための支持具固定用雌ネジ部材、及び天井吊具を型板除去後のコンクリートにネジ止めするための天井吊具固定用雄ネジ部材を兼用して螺合することが可能とされている。従って、本筋材支持具を用いてコンクリートスラブを施工する作業を行えば、同時に天井施工のための作業も行うことができる。すなわち、コンクリートスラブの施工時に天井施工のための天井吊用インサート金物を別途、適宜箇所に配置し固定する作業を省略することができる。更に、コンクリートスラブ施工作業の後においても、コンクリートスラブに埋設されている筋材支持具を有効利用することができる。
（結束ピン具）
請求項１２及び請求項１２を引用する請求項に係る結束ピン具によれば、交差する筋材相互、又は筋材と筋材支持具とを弾性力により付勢して密着させるので、コンクリートの打設時に軽量化用埋設体に浮き上がり力が働いても、軽量化用埋設体の上方に配設される上補助筋とこの上端筋に交差する上端筋相互との固定部、および上端筋相互の固定が外れてしまうこと（結束が切れてしまうこと）を防止することができる。ひいては、コンクリート打設時における軽量化用埋設体の浮き上がりを強固に防止するので、コンクリートスラブを軽量化、且つ表面を平坦化することができる。
【００１６】
請求項１５に係る結束ピン具によれば、筋材を支持する筋材支持具と該筋材支持具の上に配設された交差する前記筋材とを結束するに当たり、前記筋材支持具と上方の筋材とを挟込むので、３つの部材をいっぺんに結束することができる。
（軽量埋設体）
請求項１６及び請求項１６を引用する請求項に係る軽量化埋設体によれば、本体部材がポリスチレン製であって、該本体部材の上側表面及び下側表面に埋設される二つの突起部材がポリエチレン製であり、この突起部材に爪部が形成されているので、安価に構成することができるとともに、爪部の強度を必要十分な強度とすることができる。
【発明を実施するための最良の形態】
【００１７】
以下、添付図面を参照して、本発明の最良な実施の形態の例（実施例）について説明する。勿論、下記実施例は、本発明の最良な実施例を示すに過ぎず、本発明の技術的範囲は、下記実施例そのものに何ら限定されるものではない。本発明を説明するに当たっては、まず、筋材支持具および結束ピン具について説明し、コンクリートスラブ施工方法についての説明は、かかる筋材支持具及び結束ピン具を用いて説明する。
【００１８】
図１〜図３に示す、筋材支持具１００は、型板１０００（図５等参照）の上に取付固定された状態で、コンクリートスラブを施工するに当たって使用される筋材５００を支持するものであって、土台部材１１０と、上端筋支持部材１２０、支持具固定用雄ネジ部材１３０とによって構成されている。
【００１９】
土台部材１１０は、筋材支持具１００の土台部を構成するものであって、この土台部材１１０を介して筋材支持具１００が型板１０００に取付固定されるのである。また、かかる土台部材１１０には、筋材５００のうちの下端筋５１０が支持可能とされている。
【００２０】
土台部材１１０は、円柱形状の土台本体部１１１と、該土台本体部１１１に穿設された雌ネジ部１１１と、土台本体部１１１の外周に立設された立設片部１１２とによって構成されている。雌ネジ部材１１１は、支持具固定用雄ネジ部材１３０を螺合可能に形成されており、この支持具固定用雄ネジ部材１３０が土台部材１１０に穿設された透孔を介して雌ネジ部１１１に螺合されることによって、土台部材１１０が型板１０００に取付固定されるのである。また、雌ネジ部材１１１には、天井構成部材２０００を吊り下げるための、天井吊具用雄ネジ部材８００も兼用して螺合可能とされている。これにより、コンクリートスラブ２０００（図１４等参照）の施工時、天井施工のための作業（天井吊用インサート金物）を別途組み付ける（取付固定する）作業を省略することが可能となる。
【００２１】
また、筋材支持具１００は、十文字状に形成されている。このように、立設片部１１２が雌ネジ部１１１に対して放射状に設けられているので、型板１０００上のコンクリートを打設した後、型板１０００を除去し、天井吊具用雄ネジ部材８００を介して、天井を吊り下げた場合にも、土台部材１１０がコンクリートから抜け落ちてしまうことを防止することが可能となる。勿論、十文字状に限られず、例えば、アスタリスク字状に設けられたり、星形状に設けられても良い。
【００２２】
また、立設片部１１２には、凹部１１２ａが形成されている。この凹部１１２ａ内に下端筋５１０を載置すれば、下端筋５１０が不用意に移動してしまうことを防止することが可能となる。
【００２３】
上端筋支持部材１２０は、筋材５００のうちの上端筋５２０を支持するものであって、土台部材１１０に着脱可能に取着されている。かかる上端筋支持部材１２０は、主軸部１２１と、上端筋支持軸部１２２と、下端筋押さえ軸部１２３とを備えている。主軸部１２１には、ネジ山が形成されており、雌ネジ部材１１１に螺合可能とされている。上端筋支持軸部１２２は、上端筋５２０を支持するものであり、いわゆる異形鉄筋材によって構成されている。従って、上端筋５３０の固定前に、滑落してしまうことを防止することが可能となる。なお、主軸部１２１は、土台部材１１０に対して螺合等により着脱可能に取着されるものでなく、溶接等により着脱不能に取着されるものであっても良いし、鋳造等によって一体的に形成されたものであっても良い。
【００２４】
下端筋押さえ軸部１２３は、立設片部１１２の凹部１１２ａ内に載置された下端筋５１０が浮き上がってしまうことを防止するためのものであって、上端筋支持部材１２０の主軸部１２１に突出状に設けられている。これにより、下端筋５１０がコンクリート打設時に横にずれたり浮き上がってしまうことを防止することができる。従来においては、下端筋５１０が下端筋支持部材（本発明においては筋材支持具１００）に対して固定されなかったため、又は不十分であったため、コンクリート打設時に下端筋５１０が移動してしまうことがあった。すると、その上に載置される軽量材からなる軽量化用埋設体３００（図４等参照）も移動してしまい、コンクリートスラブの表面に凹凸が生じてしまうことがあった。本発明においては、立設片部１１２に形成された凹部１１２ａ及び下端筋押さえ軸部１２３によって防止することが可能となる。
【００２５】
図４に示す、結束ピン具２００は（請求項１２から１４に係る発明の実施例に相当する。）、筋材５００相互を結束するものであって、弾性力を有する一本の金属線材が折り曲げ加工されることによって形成されるものである。結束ピン具２００は、略Ｕ字状に形成された第１掛止部２１０と、第１掛止部２１０の両側に連設されるとともに略く字状に形成された二つの第２掛止部２２０，２２０と、各第２掛止部２２０に連設されるとともに略Ｌ字状に形成された二つの第３掛止部２３０，２３０とによって構成されている。
【００２６】
結束ピン具２００によって、筋材５００相互、特には、後述する軽量化用埋設体３００の上方に配設される上補助筋５２１と該上補助筋５２１に交差する上端筋５２０とを固定すれば、弾性力により付勢して密着させることができる。即ち、強固に固定することが可能となる。ひいては、コンクリート打設時に比重の違いから軽量化用埋設体３００が浮き上がろうとしても、上補助筋５２１が浮き上がってしまうことを防止することができる、すなわち、上補助筋５２１に連結する上端筋５２０と下端筋５１０との間隔を一定（設計値通り）に堅持することができるのである。ひいては、コンクリートスラブ表面に凹凸が生じてしまうことを防止することが可能となる。一の従来技術においては、結束線と呼ばれる針金によって固定していたため、この針金が断線して、上補助筋５２１が上端筋５２０に対して浮き上がってしまうという不具合があった。また、別の従来技術においては、上端筋５２０と下端筋５１０とを略コ字状の押さえ具によって連結していた。すると、上端筋５２０の高さが低くなってしまい、コンクリートスラブ表面に凹凸が生じてしまうという不具合があった。なお、結束ピン具２００は千鳥状に配設することによって、その数を減らすことができる。
【００２７】
また、結束ピン具２００は、二つの第３掛止部２３０，２３０が筋材５００を挟み込むように掛止されるので、振動等により交差する筋材５００，５００が回転しようとしても、外れてしまうことを強固に防止することができる。
【００２８】
更に、結束ピン具２００により、上端筋５２０相互を結束しても良い。これにより、上補助筋５２１に結束する上端筋５２０毎、浮き上がってしまうことを防止することができる。すなわち、結束ピン具２００は筋材５００の交差部（下端筋５１０も含む）であれば、何れの箇所にも適用することが可能である。
【００２９】
図５に示す、軽量化用埋設体３００は、直方体形状のポリスチレン製の本体部材３１０と、該本体部材３１０の上側表面３１０ａに一体に形成された二組の二つの（両）突起部材３１１，３１１と、該本体部材３１０の下側表面３１０ｂに埋設されるポリエチレン製の二つの突起部材３２０，３２０（板部はあってもなくてもよく、爪部材３２０と本体部材３１０とは接着等により固定されている。板部があった方が強固に固定できる。）とを備えている。突起部材３１１，３１１には、上補助筋５２１が掛止し、爪部材３２０，３２０には、下補助筋５１１が嵌入して掛止する。よって、安価に製造することができるとともに、爪部材３２０の強度を必要十分とすることができ、コンクリートの打設時においても、軽量化用埋設体３００の浮き上がりや横ずれを防止することができる。勿論、突起部材３１１を本体部材３１０の上側表面３１０ａに設けるのに代えて又は設けるのに加えて、本体部材３１０の上側表面３１０ａ及び下側表面３１０ｂの両面にそれぞれ二つの爪部材３２０，３２０を設けるようにしても良いし、同様に、下側表面３１０ｂにも一組又は二組の突起部材３１１，３１１を設けても良い。
【００３０】
次に、図６から図１６を参照して、上記の筋材支持具１００、結束ピン具２００及び軽量化用埋設体３００を利用したコンクリートスラブ施工方法について説明する。
【００３１】
まず、土台部材１１０の雌ネジ部１１１ａに支持具固定用雄ネジ部材１３０を螺合することにより、型板１０００に所定間隔毎に複数の筋材支持具１００，…，１００をネジ止めする。ネジ止め後、土台部材１１０の凹部１１２ａに下端筋５１０を載置する。載置後、下端筋押さえ軸部１２３が下端筋５１０に当接するまで、土台部材１１０に上端筋支持部材１２０を螺合する。これにより、下端筋５１０を筋材支持具１００に固定することができる。次に、筋材支持具１００に固定された下端筋５１０に他の下端筋５１０及び下補助筋５１１を結束することにより、格子状の骨組みを構成する。この際、結束ピン具２００によらず、針金（結束線）によって結束しても良い。ただし、下端筋５１０相互の結束も結束ピン具２００を千鳥状に用いた方が好ましい。何故なら、軽量化用埋設体３００は、爪部材３２０を介して下端筋５１０にも固定されており、コンクリート打設時に下端筋５１０も上方に浮き上がろうとするからである。
【００３２】
次に、上端筋支持軸部１２２に直交するように上端筋５２０を載置する。次に、この上端筋５２０に直交するように他の上端筋５２０を載置する。次に、上端筋支持軸部１２２とその上に載置される交差する両上端筋５２０，５２０を結束ピン具４００（請求項１５に係る発明の実施例に相当する。）により、結束する。この結束ピン具４００は、一本の金属線材が曲げ加工されて形成されるものであって、全体形状は略Ｃ字状である。このように曲げ加工された結束ピン具４００は、一番上に位置する上端筋５２０に掛止する第１掛止部４１０と、一番下に位置する筋材支持具１００の上端筋支持軸部１２２に掛止する第２掛止部４２０と、第１掛止部４１０と第２掛止部４２０とを連結する連結部４３０とによって構成されている。
【００３３】
次に、筋材支持具１００に固定された上端筋５２０に所定間隔毎に上端筋を結束すれば、下端筋５１０ととともに立体格子状の骨組みが完成する。
【００３４】
次に、軽量化用埋設体３００を各格子枠毎に埋設する。この場合、下補助筋５１１が爪部材３２０に嵌入するようにする。これにより、配筋作業を簡略化することができるとともに、コンクリート打設時における浮き上がりを強固に防止することもできる。次に、軽量化用埋設体３００の上方に上補助筋５２１を配設するとともに、上補助筋５２１と上端筋５２０を結束ピン具２００により結束する。この際、突起部材３１１により上補助筋５２１の移動が規制されるので、結束作業がしやすい。なお、図に示すように、結束ピン具２００による結束は、千鳥状に結束することが好ましい。これにより、必要十分な強度の結束を行うことができるとともに、作業の簡略化を実現することができる。
【００３５】
次に、型板１０００及び型板１５００により構成される型枠２０００内にコンクリートを打設する。コンクリートの凝固後、型板１０００を取り外して、天井吊具用雄ネジ部材８００を螺合固定すれば、コンクリートスラブ施工方法が終了する。
【００３６】
以上、実施例に基づき本発明を説明したが、上記実施例は、本発明の趣旨を逸脱しない範囲内で種々の改良変形が可能であることはいうまでもなく、本発明の技術的範囲にはこれらの改良変形も含まれる。
【００３７】
例えば、上記実施例によれば、結束ピン具２００及び結束ピン具４００が用いられていない場所の筋材５００の交差部は、針金（結束線）によって固定しているが（図示せず）、これら筋材５００の交差部を全て結束ピン具２００によって固定しても良い。
【００３８】
また、例えば、上記実施例によれば、筋材支持具１００は、土台部材１１０の雌ネジ部材１１１は、支持具固定用雄ネジ部材１３０のみならず、天井吊具用雄ネジ部材８００の両雄ネジ部材が兼用して螺合可能とされている。しかしながら、コンクリートスラブの表面を平坦化するという目的を達成するためには、土台部材１１０の雌ネジ部材１１１は、支持具固定用雄ネジ部材１３０のみが螺合可能であっても良い。
【００３９】
また、上記実施例におけるコンクリートスラブ施工方法においては、筋材支持具１００、結束ピン具２００及び軽量化埋設体３００の全てが使用された場合について説明している。しかしながら、等価な方式に置き換えることができれば、これらの構成を全てを必ずしも、全て使用しなくても成立する。
【００４０】
また、上記実施例における軽量化用埋設体３００は、一体型のものであるが、図１７に示すように、略コ字状に形成された第１本体部材３３０と第２本体部材３４０とを組み合わせるようにしても良い。これにより、更なるコスト低減、原料削減が可能なことは勿論のこと、持ち運びのときに分解すれば、嵩張らず、持ち運びが非常に便利とすることができる。
【００４１】
また、上記実施例における結束ピン具２００は、筋材５００相互を結束するものであるが、これを用いて、図１８に示すように、筋材５００と筋材支持具１００（より具体的には、上端筋支持軸部１２２）とを結束しても良い。この場合、筋材支持具１００の上に固定された筋材５００と該筋材５００の上に更に載置される筋材５００との結束は、針金により行っても良いし、更に結束ピン具２００を用いて結束しても良い。
【図面の簡単な説明】
【００４２】
【図１】本発明の筋材支持具の一実施例を示す図である。
【図２】上記筋材支持具の分解図を示す図である。
【図３】上記筋材支持具の一部（土台部材）のみを示す図である。
【図４】本発明の結束ピン具の斜視図である。
【図５】本発明の軽量化用埋設体の斜視図である。
【図６】本発明のコンクリートスラブ施工方法、特に、骨組構成工程のうち、支持具固定段階を示す図である。
【図７】本発明のコンクリートスラブ施工方法、特に、骨組構成工程のうち、筋材固定段階を示す図である。
【図８】本発明のコンクリートスラブ施工方法、特に、骨組構成工程のうち、筋材固定段階を示す図である。
【図９】本発明のコンクリートスラブ施工方法、特に、骨組構成工程のうち、筋材固定段階を示す図である。
【図１０】本発明のコンクリートスラブ施工方法、特に、骨組構成工程のうち、筋材固定段階を示す図である。
【図１１】本発明のコンクリートスラブ施工方法、特に、骨組構成工程のうち、筋材固定段階を示す図である。
【図１２】本発明のコンクリートスラブ施工方法、特に、骨組構成工程のうち、筋材固定段階を示す図である。
【図１３】本発明のコンクリートスラブ施工方法、特に、骨組構成工程のうち、筋材固定段階を示す図である。
【図１４】本発明のコンクリートスラブ施工方法、特に、コンクリートスラブ打設工程の後の状態を示す図である。
【図１５】本発明のコンクリートスラブ施工方法、特に、型板除去工程を示す図である。
【図１６】本発明のコンクリートスラブ施工方法、特に、天井吊具固定工程を示す図である。
【図１７】本発明で使用される軽量化用埋設体の変形例を示す図である。
【図１８】本発明における骨組構成工程において、筋材支持具に対する筋材の固定方法を変形例を示した図である。
【図１９】本発明における骨組構成工程において、筋材支持具に対する筋材の固定方法を変形例を示した図である。
【符号の説明】
【００４３】
１００    筋材支持具
１１０    土台部材
１１１    土台本体部
１１１ａ  雌ネジ部
１１２    立設片部
１１２ａ  凹部
１２０    上端筋支持部材
１２１    主軸部
１２２    上端筋支持軸部
１２３    下端筋押さえ軸部
１３０    支持具固定用雄ネジ部材
２００    結束ピン具
２１０    第１掛止部
２２０    第２掛止部
２３０    第３掛止部
３００    軽量化用埋設体
３１０    本体部材
３１０ａ  上側表面
３１０ｂ  下側表面
３１１    突起部材
３２０    爪部材
３３０    第１本体部材
３４０    第２本体部材
４００    結束ピン具
４１０    第１掛止部
４２０    第２掛止部
４３０    連結部
５００    筋材
５１０    下端筋
５１１    下補助筋
５２０    上端筋
５２１    上補助筋
８００    天井吊具用雄ネジ部材
１０００  型板
１５００  型周板
２０００  コンクリートスラブ
【図１】
2005282008.tif 000003
【図２】
2005282008.tif 000004
【図３】
2005282008.tif 000005
【図４】
2005282008.tif 000006
【図５】
2005282008.tif 000007
【図６】
2005282008.tif 000008
【図７】
2005282008.tif 000009
【図８】
2005282008.tif 000010
【図９】
2005282008.tif 000011
【図１０】
2005282008.tif 000012
【図１１】
2005282008.tif 000013
【図１２】
2005282008.tif 000014
【図１３】
2005282008.tif 000015
【図１４】
2005282008.tif 000016
【図１５】
2005282008.tif 000017
【図１６】
2005282008.tif 000018
【図１７】
2005282008.tif 000019
【図１８】
2005282008.tif 000020
【図１９】
2005282008.tif 000021